(57)【特許請求の範囲】
【請求項１】
地下構造物の蓋受枠の開口周縁に取り付けられ、蓋受枠の開口を覆う落下防止枠であって、落下防止枠を、蓋受枠に取り付ける枠本体と、枠本体の先端部に進退可能に取り付ける係合枠とから構成し、係合枠の進退動作のためのガイド機構として、枠本体と係合枠とのどちらか一方に係合枠の進退動作をガイドするガイド部を複数個設けるとともに、枠本体と係合枠とのどちらか他方にガイド部を通過させる通過部を複数個設け、少なくとも１個のガイド部に係合子を回転可能に設けその係合子が通過可能な通口を該当する通過部に形成し、係合枠を前進させた状態において係合子を回転させることにより枠本体との間に係合を生じて係合枠が後退できないロック状態に拘束されるようにしたことを特徴とする地下構造物用落下防止枠。
【請求項２】
係合枠のガイド機構として係合枠の移動方向に伸びる３組のガイド部が設けられており、その内の中央のガイド部には係合子が回転可能に設けてあり、係合子の側面に係合枠との係合のための突部が係合枠の移動に必要な長さにわたって設けられている請求項１記載の地下構造物用落下防止枠。
【発明の詳細な説明】
【０００１】
【発明の属する技術分野】
本発明は、地下構造物の蓋受枠の開口周縁に取り付けられ、蓋受枠の開口を覆う落下防止枠に関するものである。
【０００２】
【従来の技術】
この種の落下防止枠は、蓋受枠の開口を覆った状態で簡単には外れないように取り付けられ、そのために何らかのロック手段を有している。例として特開２０００−２９１０３５号の発明の場合には、係止部材を係止位置に位置させる保持部材として、スプリングから成る弾性部材や南金錠などを必須としている。また特開２００１−３２３０５号の発明の場合には、梯子本体に取り付けられた掛止片をばねにより前方へ突出する方向へ付勢する構成をロックのために必要としている。
【０００３】
上記の保持部材等は、ばねの場合、落下防止枠の一部を付勢するような役割を持つものであり、自動的な動作により操作の容易性に寄与するけれども、錆びたりへたったりするというような欠点がある。特にばねはばね鋼製が主であり、地下構造物内の環境では、多湿により或いは下水道系統の場合ガスにより腐蝕の可能性が高まるからである。腐蝕、発錆等によりロックに不具合が生ずると、落下防止枠のロック状態を維持できなくなり簡単に外れ易くなるので目的が達せられなくなる。
【０００４】
【発明が解決しようとする課題】
本発明は前記の点に着目してなされたもので、その課題は、ばねや南京錠などロックのために特別の部材類を使用することなく落下防止枠のロック状態を維持可能とすることである。
【０００５】
【課題を解決するための手段】
前記の課題を解決するため本発明は、落下防止枠を、蓋受枠に取り付ける枠本体と、枠本体の先端部に進退可能に取り付ける係合枠とから構成し、係合枠の進退動作のためのガイド機構として、枠本体と係合枠とのどちらか一方に係合枠の進退動作をガイドするガイド部を複数個設けるとともに、枠本体と係合枠とのどちらか他方にガイド部を通過させる通過部を複数個設け、少なくとも１個のガイド部に係合子を回転可能に設けその係合子が通過可能な通口を該当する通過部に形成し、係合枠を前進させた状態において係合子を回転させることにより枠本体との間に係合を生じて係合枠を後退できないロック状態に拘束するという手段を講じたものである。
【０００６】
【発明の実施の形態】
本発明の地下構造物用落下防止枠は、蓋受枠の開口周縁に取り付けられ、蓋受枠の開口を覆うものである。落下防止枠は一端では蓋受枠に取り外し可能にも或いは固定的にも取り付けられ得るが本発明の場合どちらのタイプにも適用可能である。また落下防止枠は蓋受枠の開口への出入りのために開口周縁に起立可能として昇降梯子を兼ねるものと、落下防止枠専用のものにも分けられるが本発明のものはどちらのタイプにも適用可能である。
【０００７】
本発明では、落下防止枠を、蓋受枠に取り付ける枠本体と、枠本体の先端部に進退可能に取り付ける係合枠とから構成する。蓋受枠に取り外し可能なものとして、或いは固定的なものとして取り付けるのは枠本体の方である。係合枠は進退可能であることによって蓋受枠と係合離脱可能なものとなる。係合手段をどのようなものにするか、は任意に決めることができるが、蓋受枠の構造を係合相手に利用する方法は、構造の複雑化を防止する観点からも好ましいことである。
【０００８】
係合枠の進退動作のためにガイド機構が設けられ、そのガイド機構はガイド部と、ガイド部を通過させる通過部とによって構成される。ガイド部は係合枠の進退動作をガイドするものとして設けられるもので、レール状、軸状の如く係合枠を必要距離前進後退両方向へ移動させ得るだけの長さを有する。通過部はガイド部と組んでガイド部又は通過部自体の移動を規定するもので、レール状、軸状等の部材に沿って移動する部材や、軸を通す通過孔等から成る形態を取る。ガイド部は枠本体と係合枠のどちらか一方に設けられ、通過部は他の一方に設けられる。
【０００９】
ガイド機構は、複数個のガイド部と通過部とから構成されるが、全てのガイド部と通過部とが同じ構造になっている必要はない。複数個のガイド部と通過部とは、係合枠の平行移動を容易にすることで、係合枠が曲がって蓋受枠側と係合するのを防止し、正しいロック状態に誘導する。
【００１０】
少なくとも１個のガイド部には係合子を回転可能に設け、その係合子が通過可能な通口を、該当する方の通過部に形成し、係合枠を前進させた状態において係合子を回転させることにより、枠本体との間に係合を生じて係合枠が後退できないロック状態に拘束される構成を取る。つまり係合子はある位置で通口を通ることができるが、それ以外の位置では通口を通ることができず、通過後は係合子がストッパーになって係合枠の後退を阻止するものとなる。
【００１１】
【実施例】
以下図示の実施例を参照して本発明をより詳細に説明する。図１、図２に地下構造物の蓋受枠１０と、その開口１１を覆うべく開口周縁に取り付けられる落下防止枠２０とが組み合わされた状態で示されている。
【００１２】
例示の蓋受枠１０は、図示しない蓋のヒンジ結合のためのヒンジ受け左右に手掛け１２を有し、それらの間に設けられた支軸１３により落下防止枠２０の枠本体２１を軸支したもので、軸受孔として前後方向に細長い長孔１４を有し、この長孔１４の範囲で落下防止枠２０を抜き差しし、開口１１を覆う状態と昇降梯子として起立させる状態とを選択するという構成を有している。符号１５、１６は前後の係止部であり、落下防止枠２０を起立状態に固定する（図８参照）。また蓋受枠１０のヒンジ受け１７とは向い側に於いて落下防止枠２０と係合し、開口１１を覆う状態に保持するための係合手段１８として、蓋受枠１０の開口内に形成されている上下突出部１９ａ、１９ｂ間の凹入部を利用する。
【００１３】
一方、落下防止枠２０は、上記の支軸１３により蓋受枠１０に取り付けられている枠本体２１と、枠本体２１の先端部に進退可能に取り付けられている係合枠２２とから構成される（図３参照））。枠本体２１は、左右の側杆２３、２４とそれらを結合すると同時に落下防止のための部材となる、複数個の横杆２５ａ、２５ｂ、２５ｃ…とによって枠状に組み立てられており、開口１１のほぼ全面を覆い得る大きさを有する（図２参照）。枠本体２１は側杆２３、２４の先端に側方突部２６を有しており、側方突部２６は蓋受枠１０の開口内の下突出部１９ｂの受け座１９ｃに安定に載置可能になっているので、落下防止枠２０を伏せると枠本体２１がその開口１１を覆う状態となる。
【００１４】
係合枠２２は、左右の側杆２３、２４に沿って配置される左右の係合片２７、２８と、それらを結合している結合片２９とから成る。係合片２７、２８は、落下防止枠２０を伏せた状態において、係合枠２２を前進させると上下突出部１９ａ、１９ｂ間に配置され、その状態から上方又は下方に動かすことができない状態となる（図７参照）。
【００１５】
このような係合枠２２の進退動作のためのガイド機構３０として、係合枠２２の移動方向に伸びる軸状の３個のガイド部３１、３２、３３が設けられており、これらの内の中央のガイド部３１は枠本体２１の横杆２５ｃに設けられ、左右のガイド部３２、３３は係合枠２２の側に設けられている。中央のガイド部３１にはパイプ状の係合子３４が回転可能に設けてあり、係合子３４の側面に係合枠２２の結合片２９との係合が可能なひれ状の突部３５が、係合枠２２の進退移動に必要な長さにわたって設けられている（図４参照）。３１′、３２′、３３′は各通過部、また３６は通過部に設けられている係合通口で、ひれ状の突部３５とはキーとキー孔の関係にあり、係合枠２２の進退時にひれ状の突部３５の通過が可能であり、係合通口３６の周囲の壁面３８はひれ状の突部３５の先端部３７に当たって係合枠が後退するのを防止するストッパーとなる。３９は前進限界を規定するストッパー、４０は後退限界に設けられた止め片を示す。
【００１６】
本発明に係る地下構造物用落下防止枠２０は、枠本体２１を支軸１３により蓋受枠１０に回転可能かつ前後移動可能に取り付けられている。落下防止枠２０を蓋受枠１０の開口１１を覆う用途で使用する場合、枠本体２１の取り付け基部が係止部１５、１６から抜け出た状態において、開口１１に伏せ、枠本体２１の先端の側方突部２６、２６を蓋受枠１０の受け座１９ｃに載せると係合枠２２の先端部が蓋受枠１０の側の凹入状の係合手段１８に臨んだ配置となる。ここでガイド機構３０のひれ状の突部３５を通過部３１′の係合通口３６の位置に合わせて係合枠２２を伸ばし（前進させ）、結合片２９の通過部３１′がひれ状の突部３５から抜け出たなら係合子３４を回転させ、突部３５を係合通口周囲の壁面３８に当たる位置にし、係合枠２２を前進位置にロックする（図７）。
【００１７】
係合枠２２が上記のロック状態になると、先端の係合片２７、２８は、凹入状の係合手段１８に嵌まり込んでおり、また後端４１は後方係止部１６′に当たっているので前後にもまた上方にも下方にも動かすことができない状態となり、蓋受枠１０と一体化する。故に、マンホール内圧の上昇による作用力を受けた場合に、蓋が跳ね飛ばされ、或いは押し開かれたとしても、落下防止枠２０は蓋受枠１０の開口１１を覆っているので、人や車両等が落ち込むのを防止することができる。
【００１８】
落下防止枠２０を立てるには、キーとキー孔の関係にあるひれ状の突部３５を係合通口３６の位置に合わせて、係合枠２２を後退させ（図５及び図６参照）、先端の係合片２７、２８を凹入状の係合手段１８から抜き出し、蓋受枠１０に対して動かし得る状態にする。次いで支軸１３を中心に落下防止枠２０を回転させて上方から後端を前後係止部１５、１６に嵌め合わせるようにすると、開口１１の縁に起立した状態にして、マンホール内への昇降用に利用することができる（図８）。
【００１９】
【発明の効果】
本発明は以上のように構成されかつ作用するものであるから、ガイド部と通過部とが例えばキーとキー孔のような関係を構成して一定距離だけ係合枠の移動を許容し、その後係合子を回転させることで係合を生じさせ係合枠が後退できないロック状態に拘束することとなり、ばねや南京錠などをロックのための部材類を使用しなくても落下防止枠のロック状態を維持することができるという顕著な効果を奏する。
【図面の簡単な説明】
【図１】本発明に係る地下構造物用落下防止枠の実施例を示す斜視図。
【図２】同じく平面図。
【図３】同じく落下防止枠単体の伸展状態を示す平面図。
【図４】（ａ）図３の中央部縦断面図。
（ｂ）図３のＢ−Ｂ線断面図。
【図５】落下防止枠単体の収縮状態を示す平面図。
【図６】（ａ）図５の中央部縦断面図。
（ｂ）図４（ｂ）と同様の断面図。
【図７】落下防止枠を伏せた状態における全体の縦断面図。
【図８】落下防止枠を立てた状態における全体の縦断面図。
【符号の説明】
１０  蓋受枠
１１  開口
１８  係合手段
２０  落下防止枠
２１  枠本体
２２  係合枠
２７、２８  係合片
３０  ガイド機構
３１、３２、３３  ガイド部
３１′、３２′、３３′  通過部
３４  突部３５を有する係合子
３６  係合通口
【図１】
0003779902.tif 000002
【図２】
0003779902.tif 000003
【図３】
0003779902.tif 000004
【図４】
0003779902.tif 000005
【図５】
0003779902.tif 000006
【図６】
0003779902.tif 000007
【図７】
0003779902.tif 000008
【図８】
0003779902.tif 000009